(57)【要約】【解決手段】  シンカー（Ｐ）を備えるシンカーリング（ＰＲ）、ならびに針（１）に作用しかつ各々のケースでシンカー（Ｐ）に割り当てられ、垂直方向に上下に動かすことができる固定カムシステム（Ｓ）がその周囲に配置されている中央の回転可能なニードルシリンダ（Ｚ）からなる単一丸編機の場合に、互いに堅くぶつかるピッチを、それ自体が可撓性でありニードルギャップ内で自動的に配向されるシンカーグリッドシステムで置換するために、上部および下部制御バンプ（４５）を備えるロッカー（４４）が、針から隔たったシンカー（Ｐ）の端部にその都度設けられ、針から隔たったシンカー（Ｐ）下の端部にあるシンカーリング（ＰＲ）が、シンカー（Ｐ）がそれらのピボット入口（４３）とともに収容されてそれによりそれらが傾斜することができるピボットポイントスリット（４１）を備えるピボットポイント突起（４０）として具現化され、端部に摺動ノーズ（４７）を含むニードルギャップ内に横方向に固定され、針から隔たったシンカー（Ｐ）が、編みループ形成に対応してニードルラッチ後ろのニードルシャフト（１）に最後の編みループを移送する。【選択図】図１
2014503704.tif 000002
【特許請求の範囲】
【請求項１】
中央の回転可能なニードルシリンダ（Ｚ）、その周りのシンカーリング（ＰＲ）で構成され、各々のケースでシンカー（Ｐ）に割り当てられ、かつ垂直方向に上下に動かすことができる、針（１）に作用する、カムシステム（Ｓ）が配置されならびに前記シンカー（Ｐ）を備える単一丸編機であって、
前記シンカー（Ｐ）は、前記針から離間する、前記シンカー（Ｐ）の端部上で各々のケースで上部および下部制御バンプ（４５）を備えるロッカー（４４）を包含し、前記針から離間する、前記シンカー（Ｐ）下の端部の前記シンカーリング（ＰＲ）は、前記シンカー（Ｐ）が収容された、ピボットポイントスリット（４１）を備えるピボットポイント突起（４０）として具現化され、これによりそれらのピボット入口（４３）と傾斜することが可能であり、最後の編みループが編みループ形成に対応してニードルラッチ後ろの針シャフト（１）に移送されるように、針から離間する、端部に摺動ノーズ（４７）とニードルギャップに横方向に固定されていることを特徴とする、単一丸編機。
【請求項２】
前記シンカー（Ｐ）の傾斜角（α）および前記摺動ノーズ（４７）のｘｙ偏向は、ニードルベースへの距離寸法（ａ、ｂ）および前記シリンダ（Ｚ）のキャストオフエッジまでの距離寸法（ｃ）を含む前記シンカーリング（ＰＲ）の外側直径での前記シンカー（Ｐ）のピボットポイント（４２）の配置により決定されることを特徴とする、請求項１に記載の編機。
【請求項３】
前記シンカー（Ｐ）は、前面でテンプレート（４６）を包含し、該テンプレートは、前記ニードルフック（２）内に糸を挿入するため、前記摺動ノーズ（４７）内に下向きに遷移することを特徴とする、請求項１または２のいずれか１項に記載の編機。
【請求項４】
前記シンカー（Ｐ）の前記摺動ノーズ（４７）は、新しい糸ループが介して引っ張られる際に前記シリンダ（Ｚ）の前記ニードルスロットの側壁の上縁上で最後の編みループをクランプするように制御可能であることを特徴とする、請求項１〜３のいずれか１項に記載の編機。
【請求項５】
前記シンカー（Ｐ）は、ピボット入口（４３）内に前記ピボットポイント（４２）を形成し、上下に広げられロッカー（４４）および端部上でピボットの動きのために摺動面を包含する前記制御バンプ（４５）に接続されることを特徴とする、請求項１〜４のいずれか１項に記載の編機。
【請求項６】
ユニット（Ｅ）として前記カムシステム（Ｓ）上の支持レール（４８）内に固定されている制御曲線（４９）は、前記ピボットポイント（４２）の周りに前記シンカー（Ｐ）のカウンタバランス（５０）が制御曲線（４９）間に配置され、前記上部制御曲線（４９）が好ましくはミニスライドまたはボールベアリングを含む、前記ロッカー（４４）の前記制御バンプ（４５）に割り当てられていることを特徴とする、請求項１〜５のいずれか１項に記載の編機。
【請求項７】
前記シンカーリング（ＰＲ）は、前記下部制御バンプ（４５）の有効範囲内でピボットポイントスリット（４１）と横方向に整列されるスリットを備える追加のガイドリム（５１）を包含することを特徴とする、請求項１〜６のいずれか１項に記載の編機。
【請求項８】
前記シンカーリング（ＰＲ）は、その下部前面表面において、前記ピボットポイントスリット（４１）と横方向に整列され、それ自体が公知であるシリンダ挿入バーでノーズ突起（３８）に挿入することができる位置スリット（３９）を包含し、それにより前記ピボットポイントスリット（４１）が前記ニードルギャップに応じて十分に正確な程度に配向されることを特徴とする、請求項１〜７のいずれか１項に記載の編機。
【請求項９】
間隔バンプＨまたは間隔スプリングまたは保隙材は、それらがこの位置で針ピッチ全体を包含するようにニードルシリンダ（Ｚ）およびシンカーリング（ＰＲ）間の空洞の上方で前記シンカー（Ｐ）に接続されていることを特徴とする、請求項１〜８のいずれか１項に記載の編機。
【請求項１０】
前記保隙材は、Ｕ字状のスライドとして具体化されることを特徴とする、請求項９に記載の編機。
【請求項１１】
前記ピボットポイントスリット（４１）の厚さでガイドラッチ（５２）を形成する横方向の凹部が好ましくは前記ピボット入口（４３）の背面に押し付けられる一方、シンカーシャフトは、ニードルシリンダ（Ｚ）とシンカーリング（ＰＲ）との間の空洞の上方で完全なピッチ間隔を包含し、ニードルギャップで係合用に横方向の順方向に狭まることを特徴とする、請求項１〜１０のいずれか１項に記載の編機。
【請求項１２】
前記シンカーリング（ＰＲ）は、平坦になるように特に具体化されるプレート領域を包含することを特徴とする、請求項１〜１１のいずれか１項に記載の編機。
【請求項１３】
前記ピボットポイント突起は、前記シンカーリングの外周に配置された旋回溝内に配置されたエンドレス糸として具現化されることを特徴とする、請求項１〜１２のいずれか１項に記載の編機。
【請求項１４】
前記エンドレス糸は、ゴムもしくは高弾性カーボンで作製される、またはコイルばねリングとして具現化されることを特徴とする、請求項１〜１３のいずれか１項に記載の編機。
【請求項１５】
前記シンカー（Ｐ）の厚さは、少なくとも前記針側の端部までの距離で完全なピッチ間隔を包含することを特徴とする、請求項１〜１４のいずれか１項に記載の編機。
【請求項１６】
シンカー（Ｐ）は、針から離隔する端部上の各々のケースで上部および下部制御バンプ（４５）を備えるロッカー（４４）ならびにピボット入口（４３）を包含することを特徴とし、シンカー（Ｐ）の厚さは、少なくとも針側の端部までの距離で完全なピッチ間隔を包含する、単一丸編機用シンカー。
【請求項１７】
前記シンカーは、間隔バンプまたは間隔ばねまたは前記針側の端部までの距離でＵ字状のスライドとして好ましくは具現される保隙材を包含することを特徴とする、請求項１６に記載のシンカー。
【請求項１８】
ピボットポイントスリット（４１）の厚さでガイドラッチ（５２）を形成する横方向凹部が、前記ピボット入口（４３）の背面に好ましくは押し付けられる一方、シンカーシャフトは、ニードルギャップで係合のために完全なピッチ間隔を包含する、前記針側の端部までの距離で始まり、横方向の順方向に狭まることを特徴とする、請求項１６または１７に記載のシンカー。 
【発明の詳細な説明】
【技術分野】
【０００１】
本発明は、中央の回転可能なニードルシリンダ（Ｚ）、その周りの同時に回転するシンカーリング（ＰＲ）から構成され、それぞれがシンカー（Ｐ）に割り当てられ、垂直方向に上下に動かすことができる針（１）に作用する固定カムシステム（Ｓ）ならびにシンカー（Ｐ）を備える、単一丸編機に関する。
【背景技術】
【０００２】
単一丸編機は編機の使用において重要な一分野である。数十年にわたり、これに関する構造設計自体は確立されており、もはや疑問視されてこなかった。今日利用可能な、単一丸編機のすべての基本的な要素は、１８５２年以降の発明の外周部に配置されたラッチ針用のニードルスロットを備えた中央のニードルシリンダである。編みループ形成の工程に対応して、外周に並んで配置されているセクターカムシステムにおける制御曲線を介して，
外周から突き出る制御基部により針が前後に動かされる。ラッチ針を前方に押すと、フックに位置する最後の編みループが、ラッチ後ろのニードルシャフトに到達するように、必ずラッチを開き、必ず増加性内側ラッチ面を乗り越える。シリンダに接続され、ピッチが針に対して互い違いの関係にあるスロットに水平方向に配置されたシンカーを備えるシンカーリングは、編地がそれにより上部シリンダエッジ（＝キャストオフエッジ）から持ち上がっていないことを確実にする。シンカーの動きは、これら針と正確に調整する必要がある。これは、シンカーリングの上部の空間に固定され、セクター状シンカーカムが底部に固定されているシンカーカムプレートにより面倒な方法で実施され、前記シンカーカムは、制御基部と共に提供されるシンカーを、針と関連して動作できる範囲を越えているときに、前後に動かす。シンカーカム内において、容易にアクセスできない場所での調整可能性が必要となる。
【０００３】
以上の内容は、動きと機能の多くの異なる過程が編みループ形成の非常に小さな空間内で同時に行われること、およびこれに必要な、固定制御システムが利用可能でなければならないことを明確にする。極々少数の製造業者がそれらを満たすことができるように、つまり、市場に残り支配するほんのわずかな選択肢を作るために、より精細な針ピッチに起因する精度に対する要求は、非常に増加してきている。限られたスペースに適合する、精度に対する要求を軽減するための、直接適合するシリンダとシンカーリングのピッチは特に困難である。
【発明の概要】
【発明が解決しようとする課題】
【０００４】
請求項１で明らかとされる本発明の目的は、固定的な適合ピッチが、それ自体が可撓性であり、かつ、ニードルギャップに自動的に配置される、シンカーグリッドシステムで置換される、単一丸編機を明示することである。本発明に至った基本的な考え方は、動作領域でのシンカーのより柔軟な配置のためにニードルシリンダでの可能なピッチ精度を決定様相とすることであった。シンカーの保管ピッチは次にシンカーリング上でより遠くに決められることができ、互いに関連する２つピッチの公差の困難バランス、すなわち、水平シンカースロットは、もはや必要ないであろう。シンカーリングのニードルシリンダとの接続が軽減され何の問題もなく可能となるであろう。より柔軟なシンカーグリッドの形成はこのようにして保管域からシリンダ内の針に作製される。どのようなシステムでも通過する際に針に対応して自動的に配置される別のシンカーが、結果としてもたらされる。現在標準的な水平長手方向の動きの代わりに、シンカーは針と平行に旋回する。有利なことに、針を前方に押す際に、編みループが今までそうであったように停止されないだけでなく、反対の動きによってより効果的にニードルシャフトに移送されることを結果としてもたらす。また、回転シリンダの上部のシンカーカムプレートに固定的に取り付けられているシンカーカムによる複雑なシンカー制御が不要となり、カムシステムがはるかに明確に配置された設定でこのタスクを引き継ぐ。シンカーはさらに、付加的に糸ガイドを取り付けなくても、ニードルフックに糸を挿入するためのテンプレートとして使用することができる。シンカーを用いて押し離すことにより古い編みループを目止めする際、巻き取り装置からの現在の補助手法は別の手法に置換される。説明した利点は単一丸編機の全体的な設計への相当の簡略化という影響を有する。
【０００５】
本発明の基本的な考え方はこのように、シンカーを相互に移動可能となるようにその上に配置し、シンカーがシンカーリングの外周のみに特に支持されるように、特に任意のシンカースロットを包含せずこのように実質的に平坦であるプレート領域と共に、シンカーリングを装備することである。針側のシンカーの端部は、ニードルギャップに整列するように、それらの長手方向軸に対して横方向の動きを行うことができる。これらの横方向の動きはこのように、従来技術から知られているシンカースロットの側壁によって制限されない。特に、シンカーはいわゆるシンカーグリッドシステムを形成し、複数のシンカーとして即時アプリケーション中で理解されるべきであり、シンカーリング上に配置され、少なくとも一点で互いに着脱接触している。以下により詳細に記載されるように、接触は隣接するシンカーの側面に接触して好ましくは存在する。
【課題を解決するための手段】
【０００６】
本発明はすべての単一丸編機の代替用に有利に使用することができ、超微細針ピッチのケースでの精度に対する要求を相当に軽減することができる。
【０００７】
本発明のさらなる有利な発展項目は従属請求項に規定されている。
【０００８】
請求項２に記載のさらなる発展項目は、編みループ形成に対応して、摺動ノーズ（４７）の所望のＸ−Ｙ動作にシンカー（Ｐ）のピボットポイントを決定する幾何学的文脈に関する。
【０００９】
請求項３に記載のさらなる発展項目は、テンプレート（４６）および摺動ノーズ（４７）による糸挿入用シンカー（Ｐ）の前面デザインに関する。
【００１０】
請求項４に記載のさらなる発展項目は、新しい糸ループを引く際の摺動ノーズ（４７）によるニードルシリンダ（Ｚ）のキャストオフエッジで最後の編みループを保持するための本発明の可能性を説明している。
【００１１】
請求項５に記載のさらなる発展項目は、シンカー（Ｐ）のピボット入口（４３）の設計およびロッカー（４４）の実施形態に関する。
【００１２】
請求項６に記載のさらなる発展項目は、Ｅ部により支持レール（４８）に接続されている制御曲線（４９）によるシンカー（Ｐ）の制御に関する。
【００１３】
請求項７に記載のさらなる発展項目は、ピボットポイントスリット（４１）の側面に整列してシンカーを安定化させる役割をも果たすように、制御曲線（４９）の領域で利用可能である、ロッカー（４４）ための付加的なガイドスリットとのシンカーリング（ＰＲ）の一実施形態に関する。
【００１４】
請求項８に記載のさらなる発展項目は、シンカーリング（ＰＲ）へのニードルシリンダ（Ｚ）の中央連結に関する。
【００１５】
請求項９に記載のさらなる発展項目は、シンカーグリッド形成の複合要素としてのシンカーＰの実施形態に関する。この目的のために、間隔バンプＨは、この位置における全針ピッチを包含するように、例えばＵ字状のスライドの形状で、リリースされるかまたはばねや他の保隙材で空隙することが可能となるように、シンカー（Ｐ）でニードルシリンダ（Ｚ）とシンカーリング（ＰＲ）との間に空洞部の上方に好ましくは取り付けられる。したがって、この位置におけるシンカーの厚さが全体の針ピッチを占めるように、シンカーはこのように間隔バンプ、間隔スプリングまたは保隙材上で互いに接触する。シンカーは互いに隣に位置するシンカーを指すシンカーグリッドを形成し、着脱することが可能ではないようにこのように特に相互に接続されない。シンカーは、特に接触の円周内で互いに隣に位置する。このシンカーグリッドの要素としてのこれらシンカーの単一のものもまた、グリッドシンカーとして識別することができる。
【００１６】
請求項１１に記載のさらなる実施形態は、超微細針ピッチ用シンカー（Ｐ）の安定的な実施形態に関する。この目的のために、シンカーシャフトは、ニードルシリンダ（Ｚ）とシンカーリング（ＰＲ）との間の空洞部の上方で完全なピッチ間隔を好ましくは包含し、横方向の凹部で、ニードルギャップを有する係合のために前方に横方向に狭くなり、ピボットポイントスリット（４１）の厚さでガイドラッチ（５２）を形成し、ピボット入口（４３）の背面に好ましくは押し付けられる。追加の保隙材を設けることなく、このように超微細針ピッチのためにシンカーを直接並べて配置することが可能であり、針から離間している領域よりも狭くなるように針側の領域を簡易に具現化することが可能である。
【００１７】
好ましい実施形態によれば、ピボット溝内に配置され、シンカーリングの外周に配置されたエンドレス糸として具現化されるピボットポイント突起のために供給が生成される。シンカーの有利性サポートはこれを通じて達成することができる。
【００１８】
好ましくは、エンドレス糸は、ゴムもしくは高弾性カーボンで作られているか、または単純な製造を提供するコイルばねリングとして具現化される。
【００１９】
各ケースにおける単一丸編機のための本発明によるシンカーは、針から離間した端部で、ピボット入口（４３）と同様に上部および下部制御バンプ（４５）を備えるロッカー（４４）を包含し、シンカー（Ｐ）の厚さは少なくとも針側の端部までの距離の完全なピッチ間隔を包含する。これにより、シンカーは装置内に配置された際少なくとも距離をおいて並んで横方向に配置され互いに安定化されており、シンカースロットを備えるそれ以外の一般的なシンカーリングの代わりにシンカーリング上で平坦なプレート領域を使用することを可能にし、それにより横方向の動きはシンカースロットにより制限されないため、シンカーは針距離に応じて配向することができる。
【００２０】
本発明の好ましい実施形態によれば、シンカーは、間隔バンプまたは間隔ばねまたは好ましくは針側の端部までの距離でＵ字状のスライドとして具現化される保隙材を包含する。これにより、簡単な方法で所望のピッチの空間を決定することが可能となる。
【００２１】
有利な実施形態によれば、シンカーシャフトが針側の端部までの距離を開始位置として、前方に横方向に狭くなり、ニードルギャップを有する係合のために、横方向の凹部内で完全なピッチ間隔を包含し、ピボットポイントスリット（４１）の厚さを有するガイドラッチ（５２）を形成し、好ましくはピボット入口（４３）の背面に押し付けられる。このようなシンカーを簡単な方法で製造することができる。
【００２２】
本発明の例示的な実施形態が図１から図２４を用いて定義される。特に断らない限り、それらのすべては、約５：１に拡大して表現される。シリンダ（Ｚ）およびシンカーリング（ＰＲ）の回転方向は時計回りである。
【図面の簡単な説明】
【００２３】
【図１】新規なグリッドシンカー（Ｐ）を備える単一丸編機の簡略化された設計の概略図、実施形態の幾何学的な状況、ニードルシリンダ（Ｚ）へのシンカーリング（ＰＲ）の自動方位および動きのすべての過程の統合制御を有する装置の中央構造ユニットを示す。
【図２】別の繊度要求のための２つの異なるシンカーの代替案を示し、応用例の最大範囲での平均ピッチ繊度ための実施形態を示す。
【図３】別の繊度要求のための２つの異なるシンカーの代替案を示し、この目的のために安定であるシンカー（Ｐ）を有する超微細針ピッチための実施形態を示す。
【図４】別の繊度要求のための２つの異なるシンカーの代替案を示し、図３の代替案によるピボットポイント突起（４０）の実施形態を示す。
【図５】別の繊度要求のための２つの異なるシンカーの代替案を示し、ピボット入口（４３）の左上からおよび右中からの視野でのシンカー（Ｐ）の図を示す。
【図６】別の繊度要求のための２つの異なるシンカーの代替案を示し、ピボットポイントスリット（４１）に取り入れられるシンカー（Ｐ）のピボットポイント領域を示す。
【図７】グリッドシンカーの形成および上部シリンダエッジ（Ｚ）の上からの図を示す。
【図８】シリンダ（Ｚ）を通しての上部の部分断面および露出した針（１）を有するシンカーリング（ＰＲ）および下端位置のシンカー（Ｐ）を示す。
【図９】上端位置の図８による構成を示す。
【図１０】編みループの形成に対応する針の動き（１）への摺動ノーズ（４７）の位置を示し、テンプレート（４６）により糸の挿入のために上方に旋回される摺動ノーズ（４７）を有する針（１）のキャストアウト位置を示す。
【図１１】編みループの形成に対応する針の動き（１）への摺動ノーズ（４７）の位置を示し、針（１）の復帰の動きに対応するおよび摺動ノーズ（４７）の同時の小さい下方の動きに対応するニードルフック（２）への糸の挿入を示す。
【図１２】編みループの形成に対応する針の動き（１）への摺動ノーズ（４７）の位置を示し、摺動ノーズ（４７）とニードルシリンダの上端を通して新しい糸を引っ張る前の最後の編みループのクランピングを示す。
【図１３】編みループの形成に対応する針の動き（１）への摺動ノーズ（４７）の位置を示し、示されるように、針（１）の前方への動きに対応してもつれの後にフックに掛かる、新しい編みループを捕捉するように、捕捉位置に摺動ノーズ（４３）の上方への動きを示す。
【図１４】編みループの形成に対応する針の動き（１）への摺動ノーズ（４７）の位置を示し、オープンラッチの後ろにそれを持って来るためのものである。
【図１５】もつれに対応する本発明による編みループ動作の違いを示し、現在のもつれに対応する編みループ動作を示す。
【図１６】もつれに対応する本発明による編みループ動作の違いを示し、もつれに対応する最後の編みループの保持を示す。
【図１７】もつれに対応する本発明による編みループ動作の違いを示し、糸通しの領域におけるニードルシリンダの上端の可能な有利な小さい傾斜を示す。
【図１８】針およびシンカー制御によるグリッドシンカーカムシステムでニードルシリンダシンカーリングからなる、中央構造ユニット単一丸編機の三次元図を示す。
【図１９】構成部品である針およびシンカーリングを有するニードルシリンダ−グリッドシンカー−針制御用カムシステム−シンカー制御の分解図を示す。
【図２０】針およびグリッドシンカーの制御のための複合カムシステムと簡略化構造設計単一丸編機上の正面からの図を示す。
【図２１】本発明の別の実施形態において露出している針（１）および下端位置におけるシンカー（Ｐ）を有するシリンダ（Ｚ）およびシンカーリング（ＰＲ）を介した上部の部分断面を示す。
【図２２】上端位置にある図２１による構成を示す。
【図２３】図２３ａニードルシリンダ、シンカーリングおよびシンカーからなる、単一丸編機の代替実施形態の中央構造ユニットの三次元図を示す。図２３ｂエンドレス糸上に配置される、図２３ａによる装置のシンカーを示す。
【図２４】図２３ａによる別の実施形態のグリッドシンカーの形成および上部シリンダ端（Ｚ）への上からの図を示す。
【発明を実施するための形態】
【００２４】
図１は、ニードルシリンダＺから離間配置されている、ピボットポイント４２周囲のオープンラッチ経由でニードルギャップ中に編みループを移送する、新規のグリッドシンカーＰを備える簡略化された単一丸編機の本発明による設計の概略図である。摺動ノーズ４７の角座標ｘおよびｙがキャストオフエッジまでの距離ｃにより所望のように付加的に決定することができる一方、摺動ノーズ４７のピボット角度（α）がシンカーＰの長さｂおよびニードルスロット基部からのピボットポイント距離ａにより影響される動きの過程の幾何学的な図に従う。キャストオフエッジの若干上方のピボットポイント４２の配置はｘ偏向に関して有利であり得る。
【００２５】
図１は、既知のカム制御と編みループ形成に対応して針１が上下に動く、露出したニードルスロットとシリンダリングの上部外側の領域内で、中心軸を中心に回転させることができるニードルシリンダＺを、断面図でさらに示す。現在そうであるように、シリンダ挿入バーでノーズ突起３８に収容されているという点で、シンカーリングＰＲは構造ユニットをそれとともに回転および形成するようにニードルシリンダＺの周囲に配置される。しかしながら、後述するように、インスタントシンカーリングＰＲはもはやスロットを包含していないので、シリンダＺおよびシンカーリングＰＲのスロットはもはやそれらの許容範囲に接続してはならず、かつシンカーリングＰＲは次にもはや困難な方法で固定してはならない。その場所に取り付けられ、かつピボットポイントスリット４１と整列される、位置スリット３９を有する前面下部表面でシリンダ挿入バーのノーズ突起３８の中に前記シンカーリングを挿入すれば十分である。ニードルシリンダＺのセンタリングのためのガイドの膨らみ３７およびシンカーリングＰＲはこれにより有利である。現在そうであるように、外側シリンダ径とシンカーリングＰＲとの間の空洞ｅは、ラッチの動きのためにシンカーリングの上に必要である。外側に続くプレート領域において供給はもはやシンカースロットのために生成されない。それはピボットポイントスリット４１がシンカーＰを収容するために具現化された、狭いピボットポイント突起４０で終了する。ピボットポイント突起４０はそれにより、例えばプレート領域の下に、特に直接プレートエリアの下に、シンカーリングＰＲの外周に特に配置される。シンカーリングＰＲの上側が実質的に平坦であるように具現化される一方、ピボットポイントスリット４１は特に長手方向でシンカーリングＰＲの外周に継続する。
【００２６】
長さおよび実質的に横方向または垂直な態様でその上に配置されたロッカー４４を有するシンカーリングＰＲ上に配置された長手方向セクションを備えるシンカーＰは、傾斜した方法で具現化される。
【００２７】
垂直に取り付けられているロッカー４４への遷移において、シンカーＰはピボット入口４３とピボットポイントスリット４１に収容され、ロッカー４４の両端でピボットの動きを制御するため制御バンプ４５を包含する。ピボット入口４３は、それによりシンカーＰがシンカーリングＰＲ上に配置される際、シンカーリングＰＲの外周でプレート領域の下のピボットポイントスリット４１で旋回可能に支持される。ピボットの動きは、長手方向セクションがプレート領域から持ち上げるように行われる（図８および図９を参照）。シンカースロットはプレート領域に設けられていないという事実のために、長手方向セクションの長手方向軸に対して直角およびプレート領域に平行のシンカーＰの長手方向セクションの動きが可能となる。これは針のピッチ間隔により針側のシンカーの端部の配向を提供する。
【００２８】
セクターに分割されるカムシステムＳはシンカーリングＰＲの下のニードルシリンダＺの周囲でマシンプレートに固定的にねじ接続される。ニードルシリンダＺはそれを時計回りに回転し過ぎる。カムジャケットは同時にシンカーの動きのための制御曲線４９の支持レール４８ための締結の基部である。
【００２９】
図２から６は、超微細針ピッチ用シンカーリングＰＲでグリッドシステムおよびシンカーサポートに異なる方法でどのように接続することができるのか、２つのシンカーの代替案を扱う。
【００３０】
図２は、グリッド形成および応用の最大範囲で平均ピッチ繊度用シンカーＰの側面断面の上からの図である。その位置におけるシンカーはすべて同じ強度を有し、それにより針のピッチの半分よりわずかに小さい。シンカーＰがこの位置で結合を形成するために互いに接触するように、供給はバンプＨ用シャフト上で横方向に、シンカーＰにて空洞ｅの上方の外径位置でほぼ行われる。バンプはシャフトからリリースすることができ、または編みループ移送針のケースでは間隔ばねにより形成することができる。グリッドシンカーの保管は図１の実施形態により行われる。
【００３１】
図３の代替案は超微細針ピッチのための実施形態である。後方に向かってｅから出発して、シンカーの強度はそれによりこの位置での針ピッチに対応することができる。前方に向かって、シンカーＰはニードルギャップで係合に横方向にオフセットする。安定したシンカーもまたこのように結果としてもたらされる。
【００３２】
図４から図６は超微細針ピッチのための図３の収容実施形態に関する。シンカーのピボットポイント４２はピボットポイント突起４０の中心部のその位置に配置され、ピボットポイントスリット４１の強度を有するガイドラッチ５２が結果としてもたらされるように、シンカーはピボットポイントスリット４１の領域に凹部を包含する。
【００３３】
図４は、ピボットポイント突起４０上のピボットポイントスリット４１の断面の上からの図と同様に、シンカーリングＰＲのピボットポイント突起４０におけるピボットポイントスリット４１を通しての断面の側面図である。
【００３４】
ピボットポイント突起４０は、それぞれの場合においてピボット角度の半分だけ、上側および下側のスリットの領域で狭くなる。
【００３５】
図５は、ピボット角度の中心位置でシンカーＰの中央ピボット入口４３を備えるロッカー４４上の側面からおよび正面からの図である。スリット４１に挿入することができる中央にガイドラッチ５２を形成するように、横方向の凹部はそれによりスリット４１の領域内のピボット入口に押し付けられる。
【００３６】
図６では、シンカーＰはピボットポイントスリット４１内に挿入される。
【００３７】
図７は、その中に多数の針が描かれた、ニードルスリットと上部シリンダエッジＺへの上からの図、および図３から６による超微細針ピッチ用シンカーＰを備えたグリッド形成である。シンカーＰの横方向キャストオフは針１間の隙間に配置されている。シンカーＰはこのように距離ｅでお互いに接触している。針間の空間でシンカーＰおよび係合との接触が発生できないように、シンカーＰは針側の端に向かって横方向にキャストオフされる。シンカーＰの放射状配置により、針から離間する端部に向かってシンカーＰ間の距離が増加する。図はこの構造形式の簡略化された明確な配置を示す。
【００３８】
図８および９は、編みループ形成に対応するシンカーＰの両端位置を示す。
【００３９】
図８は、新しく作製された編みループが摺動ノーズ４７を介してニードルラッチの後ろに移送された場合の編みループ形成の最終段階を示す。上部制御バンプ４５はそれにより上方の制御曲線４９と動作可能な接続になる。摺動ノーズ４７の無負荷な上向きの動きとは対照的に、編みループ移送のためここで抵抗を克服しなければならなかった。制御バンプ４５の反対方向への動きの代わりに、図示されるように、制御曲線４９のピークで統合されるミニスライドまたはボールベアリングは、この場所で好ましくは接触面の調整された展開の動きを引き起こすことができる。
【００４０】
図９では、糸がニードルフック２に挿入される場合の、新しい編みループ形成の開始が次のシステムに図示されている。針１のその後の復帰の動きに対応してフック２により捕捉されるように、シンカーＰは上方位置に配置され、テンプレート４６が糸を胸部上昇部にガイドする。また、その間に配置された制御曲線４９およびシンカーＰのカウンタバランス５０は、支持レール４８に固定されている機能ユニットＥを形成するために組み合わされる。
【００４１】
図１０から１４は、編みループの形成に対応した針およびシンカーの動きの過程を示す。
【００４２】
図１０は、新しい編みループ形成の開始に関する。針１が完全に前方に移動したときに、ガイドギャップがそのテンプレート４６と下向きに描かれている糸のためのニードルブレスト３との間に結果として生じるように、最後の編みループは針１のシャフト上のニードルラッチの後ろに配置され、シンカーＰはその上端位置にある。
【００４３】
図１１は、糸が針１の復帰の動きおよびテンプレート４６の小さな下向きの動きに対応して如何にニードルフック２内にガイドされるかを示す。最後の編みループはそれによりニードルラッチの下部に到達し、それを閉じ始める。
【００４４】
最後の編みループが摺動ノーズ４７により上部シリンダエッジＺ上にクランプされ、上部シリンダエッジＺが到達するにあたりニードルヘッドが最後の編みループをリリースするまでそこに残っている間に、ループは図１２でニードルフック内の針１のさらなる復帰の動きに対応して形成されている。
【００４５】
針１は図１２および１３の間にもつれの位置内にさらに後退する。最後の編みループはそれによりニードルヘッドおよびニードルヘッド内に位置しその所望のサイズにロールする新たなループを越えてキャストオフされている。
【００４６】
図１３は、前方に移動したニードルフック２内の新たに形成された編みループおよび捕捉位置に少し旋回復帰した摺動ノーズ４７を示す。
【００４７】
図１４による針の前方への動きに対応して、新しい編みループが摺動ノーズ４７により捕捉され、シリンダＺの上端部へ移送される。
【００４８】
図１５から１７は、ニードルヘッド内に位置するループが新しい編みループを形成するためにそのもつれ中に通して引っ張られる際の編みループ動作の説明図である。
【００４９】
図１５は、最後の編みループがシリンダＺのニードルスロットに少し引き出すことができる場合の現在の動作を示す。
【００５０】
図１６では、最後の編みループがもつれ中に上部シリンダエッジで保持され、その後摺動ノーズ４７からキャストオフ用にリリースされる。
【００５１】
図１７では、ループのフィードゾーンでの上部シリンダエッジの小さな傾きは最後の編みループのキャストオフ動作に明確に影響を与える。
【００５２】
図１８は、広範な範囲での用途を有する簡略化およびコンパクトな構造のタイプの単一丸編機の三次元概略図である。一緒に結合されているシンカーグリッドはニードルシリンダＺの敏感な上部ゾーンを保護する。
【００５３】
図１９は、構成備品であるシンカーリングＰＲを有するニードルシリンダＺ、シンカーリングＰＲ内への挿入のために簡単にアクセスすることができるシンカーＰ、およびシンカーの制御曲線４９用の支持レール４８のための応用の可能性を有するニードルカムシステムＳの分解図を示す。
【００５４】
図２０は、シンカーリング（ＰＲ）、ならびに針およびシンカーの制御のためにその前に配置された複合カムシステム（Ｓ）とニードルシリンダ（Ｚ）への正面からの図である。システムを除去することによって、シンカー（Ｐ）と同様に針（１）は容易にアクセス可能な方法で交換することができる。
【００５５】
図２１から２４は、本発明の代替実施形態を示す。同一の参照番号は同一部分または同一の機能を有する部分を同定する。明瞭にするために、すべての参照番号がすべての図面で指定されている訳ではない。
【００５６】
ピボットポイント突起は、シンカーリングＰＲの外周上を回転する溝５４内に配置されたエンドレス糸５６を用いて本実施形態で形成されている。閉じられた要素はそれにより、例えば、ゴムリング、ピストンリング等としてエンドレス糸５６として識別される。エンドレス糸５６は、例えば、ゴム、エラストマーまたは高弾性カーボンで作ることができる。代替案では、エンドレス糸５６はまたコイルばねリングとして形成することができる。エンドレス糸５６の使用はシンカーリングＰＲの生産をよりコスト効率的にすることができる。エンドレス糸５６はそれによりシンカーリングＰＲのプレート領域までの距離ｃで配置され、それにより、摺動ノーズ４７の撓みｘおよびｙは距離ｃを変えることによって変えることができる。
【００５７】
シンカーリングＰＲ上のシンカーＰをサポートするために、ピボットポイントスリット４１は第１の実施形態の場合よりも長くなるように設計することができる。本実施形態でのピボット入口４３はエンドレス糸の直径の半分に実質的に対応する半径を有する実質的に半円形の方法で具現化される。
【００５８】
図２１から２４に示す実施形態のさらなる違いはシンカーＰの実施形態である。針側のシンカーＰの端部までの距離で、シンカーの完全なピッチ間隔に対応するシンカーの厚さを得るために、Ｕ字状スライド５５として具現化される保隙材は、例えば、実質的に均一な厚みを有するシンカーＰに取り付けることができる。シンカーＰがこの場所で一定のピッチで横方向に互いに接触し、シンカーＰのグリッド形成接触リングがそれにより特に追従するように、スライド５５の強度は必要な寸法で形成される。多大な労力なしに、シンカースロットなしの平坦なプレート領域を備える装置で使用するために適切な準備をするように、シンカーＰはこのように後付けすることができる。スライド５５の強度を変化させることにより、シンカーの所望のピッチ距離を得ることができる。
【００５９】
異なる例示的な実施形態の実施形態は互いに組み合わせることができることは言うまでもないことに留意すべきである。
【符号の説明】
【００６０】
１      針
２      ニードルフック
３      ニードルブレスト
４      ニードルスリット３７    シンカーリング上のガイドの膨らみ
３８    シリンダ挿入バー上のノーズ突起
３９    ＰＲの下部前面表面の位置スリット
４０    ＰＲ外径の外側のピボットポイント突起
４１    シンカーリング上のピボットポイントスリット
４２    ＰＲ上の突起内のピボットポイント
４３    シンカーのピボット入口
４４    ピボットの動きの両端上の制御バンプ付きシンカーのロッカー
４５    制御バンプ
４６    ニードルフック内への糸供給用テンプレート
４７    ニードルシャフトに編みループ移送をするための摺動ノーズ
４８    シンカー制御ユニット用支持レール
４９    制御曲線
５０    制御曲線間のシンカーＰのカウンタバランス
５１    ガイドリム
５２    ガイドラッチ
５４    周辺溝
５５    スライド
５６    エンドレス糸
ｅ      ラッチの動きのためのシリンダとＰＲ間の空洞
Ｓ      上部カムシステム（ロープ）
Ｐ      シンカー
ＰＲ    プレートリング
Ｚ      ニードルシリンダ 
【図１】
2014503704.tif 000003
【図２】
2014503704.tif 000004
【図３】
2014503704.tif 000005
【図４】
2014503704.tif 000006
【図５】
2014503704.tif 000007
【図６】
2014503704.tif 000008
【図７】
2014503704.tif 000009
【図８】
2014503704.tif 000010
【図９】
2014503704.tif 000011
【図１０】
2014503704.tif 000012
【図１１】
2014503704.tif 000013
【図１２】
2014503704.tif 000014
【図１３】
2014503704.tif 000015
【図１４】
2014503704.tif 000016
【図１５】
2014503704.tif 000017
【図１６】
2014503704.tif 000018
【図１７】
2014503704.tif 000019
【図１８】
2014503704.tif 000020
【図１９】
2014503704.tif 000021
【図２０】
2014503704.tif 000022
【図２１】
2014503704.tif 000023
【図２２】
2014503704.tif 000024
【図２３】
2014503704.tif 000025
【図２４】
2014503704.tif 000026
【国際調査報告】
2014503704.tif 000027
2014503704.tif 000028
2014503704.tif 000029
2014503704.tif 000030